(57)【要約】【課題】ヒートポンプ装置の暖房の立ち上がりを速くして乗員の快適性を向上させる。【解決手段】空調制御装置は、ヒートポンプ装置の高圧側の冷媒温度が所定の低温度以下であるか否かを推定し、所定の低温度以下であると推定される場合には、所定の低温度よりも高いと推定される場合に比べて車室内熱交換器への送風量が少なくなるように空調ユニットを制御する。【選択図】図１０
2014024371.tif 000002
【特許請求の範囲】
【請求項１】
冷媒を圧縮する圧縮機と、車室内に配設される車室内熱交換器と、車室外に配設される車室外熱交換器とを含むヒートポンプ装置と、
上記車室内熱交換器を収容するとともに、該車室内熱交換器に空調用空気を送風する送風機を有し、調和空気を生成して車室に供給するように構成された車室内空調ユニットとを備えた車両用空調装置であって、
上記車室内熱交換器への送風量を変更する送風量変更手段と、
上記送風量変更手段を制御する空調制御装置とを備え、
上記空調制御装置は、暖房開始時には、暖房開始後所定時間経過した場合に比べて上記車室内熱交換器への送風量が少なくなるように、上記送風量変更手段を制御する暖房立ち上げ制御を行うように構成されていることを特徴とする車両用空調装置。
【請求項２】
冷媒を圧縮する圧縮機と、車室内に配設される車室内熱交換器と、車室外に配設される車室外熱交換器とを含むヒートポンプ装置と、
上記車室内熱交換器を収容するとともに、該車室内熱交換器に空調用空気を送風する送風機を有し、調和空気を生成して車室に供給するように構成された車室内空調ユニットとを備えた車両用空調装置であって、
上記車室内熱交換器への送風量を変更する送風量変更手段と、
上記送風量変更手段を制御する空調制御装置とを備え、
上記空調制御装置は、上記ヒートポンプ装置の高圧側の冷媒温度が所定の低温度以下であるか否かを推定し、所定の低温度以下であると推定される場合には、所定の低温度よりも高いと推定される場合に比べて上記車室内熱交換器への送風量が少なくなるように、上記送風量変更手段を制御する暖房立ち上げ制御を行うように構成されていることを特徴とする車両用空調装置。
【請求項３】
冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び第２車室内熱交換器を収容するとともに、該第１車室内熱交換器及び第２車室内熱交換器に空調用空気を送風する送風機を有し、調和空気を生成して車室に供給するように構成された車室内空調ユニットと、
上記ヒートポンプ装置及び上記車室内空調ユニットを制御する空調制御装置とを備えた車両用空調装置であって、
上記車室内空調ユニットには、上記第１車室内熱交換器及び第２車室内熱交換器への送風量を変更する送風量変更手段を備え、該送風量変更手段は上記空調制御装置により制御され、
上記ヒートポンプ装置は、上記空調制御装置により、上記第１車室内熱交換器及び上記第２車室内熱交換器を放熱器とし、上記車室外熱交換器を吸熱器として作用させる暖房運転モードとされるように構成され、
上記空調制御装置は、暖房開始時には、暖房開始後所定時間経過した場合に比べて上記第１車室内熱交換器への送風量が少なくなるように、上記送風量変更手段を制御する暖房立ち上げ制御を行うように構成されていることを特徴とする車両用空調装置。
【請求項４】
冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び第２車室内熱交換器を収容するとともに、該第１車室内熱交換器及び第２車室内熱交換器に空調用空気を送風する送風機を有し、調和空気を生成して車室に供給するように構成された車室内空調ユニットと、
上記ヒートポンプ装置及び上記車室内空調ユニットを制御する空調制御装置とを備えた車両用空調装置であって、
上記車室内空調ユニットには、上記第１車室内熱交換器及び第２車室内熱交換器への送風量を変更する送風量変更手段を備え、該送風量変更手段は上記空調制御装置により制御され、
上記ヒートポンプ装置は、上記空調制御装置により、上記第１車室内熱交換器及び上記第２車室内熱交換器を放熱器とし、上記車室外熱交換器を吸熱器として作用させる暖房運転モードとされるように構成され、
上記空調制御装置は、上記ヒートポンプ装置の高圧側の冷媒温度が所定の低温度以下であるか否かを推定し、所定の低温度以下であると推定される場合には、所定の低温度よりも高いと推定される場合に比べて上記第１車室内熱交換器への送風量が少なくなるように、上記送風量変更手段を制御する暖房立ち上げ制御を行うように構成されていることを特徴とする車両用空調装置。
【請求項５】
請求項１から４のいずれか１つに記載の車両用空調装置において、
上記送風量変更手段は、上記車室内空調ユニット内部の空気流れ方向を切り替えるためのドアであることを特徴とする車両用空調装置。
【請求項６】
請求項１から５のいずれか１つに記載の車両用空調装置において、
車室外の気温を検出する外気温度センサを備え、
上記空調制御装置は、上記外気温度センサにより検出された車室外の気温に基づいて、車室外の気温が所定温度よりも低い場合には、上記ヒートポンプ装置の高圧側の冷媒温度が所定の低温度以下であると推定するように構成されていることを特徴とする車両用空調装置。
【請求項７】
請求項１から５のいずれか１つに記載の車両用空調装置において、
冷媒温度を検出する冷媒温度センサを備え、
上記空調制御装置は、暖房立ち上げ制御後に、上記冷媒温度センサで検出された冷媒温度が所定温度よりも高くなったと判定した場合に、上記ヒートポンプ装置及び上記車室内空調ユニットを通常暖房制御に切り替えるように構成されていることを特徴とする車両用空調装置。
【請求項８】
請求項１から５のいずれか１つに記載の車両用空調装置において、
冷媒圧力を検出する冷媒圧力検出センサを備え、
上記空調制御装置は、暖房立ち上げ制御後に、上記冷媒圧力センサで検出された冷媒圧力が所定圧力よりも高くなったと判定した場合に、上記ヒートポンプ装置及び上記車室内空調ユニットを通常暖房制御に切り替えるように構成されていることを特徴とする車両用空調装置。
【請求項９】
請求項１から５のいずれか１つに記載の車両用空調装置において、
車室内熱交換器を通過した後の空気温度を検出する空気温度センサを備え、
上記空調制御装置は、暖房立ち上げ制御後に、上記空気温度センサで検出された空気温度が所定温度よりも高くなったと判定した場合に、上記ヒートポンプ装置及び上記車室内空調ユニットを通常暖房制御に切り替えるように構成されていることを特徴とする車両用空調装置。
【請求項１０】
請求項１から５のいずれか１つに記載の車両用空調装置において、
上記空調制御装置は、暖房立ち上げ制御を開始してから所定時間経過後に、上記ヒートポンプ装置及び上記車室内空調ユニットを通常暖房制御に切り替えるように構成されていることを特徴とする車両用空調装置。
【請求項１１】
請求項１０に記載の車両用空調装置において、
上記空調制御装置は、暖房立ち上げ制御を開始してから通常暖房制御に切り替える間の時間を、車室外の気温に応じて変化させるように構成されていることを特徴とする車両用空調装置。
【請求項１２】
請求項１０に記載の車両用空調装置において、
上記空調制御装置は、暖房立ち上げ制御を開始してから通常暖房制御に切り替える間の時間を、高圧側の冷媒圧力に応じて変化させるように構成されていることを特徴とする車両用空調装置。
【発明の詳細な説明】
【技術分野】
【０００１】
本発明は、車両に搭載される車両用空調装置に関するものである。
【背景技術】
【０００２】
従来から、例えば、ハイブリッド車や電気自動車等に搭載される空調装置として、ヒートポンプ装置を備えた空調装置が知られている。これら車両用のヒートポンプ装置は、電動コンプレッサと、車室外に配設される車室外熱交換器と、膨張弁と、車室内に配設される車室内熱交換器とを冷媒配管によって順に接続して構成されている。
【０００３】
例えば、特許文献１の車両用空調装置は、車室内熱交換器として、空気流れ方向上流側に配設される上流側車室内熱交換器と、下流側に配設される下流側車室内熱交換器とを備えている。下流側車室内熱交換器は、暖房運転モード及び冷房運転モードの両モードで放熱器として作用する。また、上流側車室内熱交換器は、暖房運転モード及び冷房運転モードの両モードで吸熱器として作用する。
【０００４】
また、例えば特許文献２に開示されているように、暖房運転モードで上流側車室内熱交換器も放熱器として作用させる構成も知られている。すなわち、コンプレッサから吐出した冷媒を下流側車室内熱交換器に流した後、上流側車室内熱交換器に流すように冷媒配管を接続する。これにより、上流側車室内熱交換器によって加熱した空気を下流側車室内熱交換器で再加熱することができるので、暖房能力を向上させることが可能になるという利点がある。一方、冷房運転モードでは、減圧後の冷媒を上流側車室内熱交換器に供給することによって上流側車室内熱交換器を吸熱器として作用させるようにしているので、冷房も行うことができる。
【先行技術文献】
【特許文献】
【０００５】
【特許文献１】特開平９−２４０２６６号公報
【特許文献２】特開２０１１−２５５７３５号公報
【発明の概要】
【発明が解決しようとする課題】
【０００６】
ところで、例えば、冬季のように外気温度が低く、かつ、長時間放置されてヒートポンプ装置の高圧側の冷媒が外気温度近傍となるまで冷えている状況で車両の暖房を開始する場合がある。
【０００７】
しかしながら、そのような状況で暖房運転を開始すると、車室内熱交換器に送風される空気温度が低い状態であるため、コンプレッサから吐出された冷媒が車室内熱交換器を流通する間に空気と熱交換して温度低下してしまい、その温度低下した冷媒が再びコンプレッサに吸入されることになる。その結果、暖房立ち上げ時に冷媒の圧力及び温度が上昇しにくく、暖房の立ち上がりが遅くなって車室に温風を供給するまでに要する時間が長時間化してしまい、乗員の快適性が損なわれるという問題がある。
【０００８】
本発明は、かかる点に鑑みてなされたものであり、その目的とするところは、ヒートポンプ装置の暖房の立ち上がりを速くして乗員の快適性を向上させることにある。
【課題を解決するための手段】
【０００９】
上記目的を達成するために、本発明では、暖房立ち上げ時には、放熱器となる車室内熱交換器への送風量を低下させるようにした。
【００１０】
第１の発明は、冷媒を圧縮する圧縮機と、車室内に配設される車室内熱交換器と、車室外に配設される車室外熱交換器とを含むヒートポンプ装置と、
上記車室内熱交換器を収容するとともに、該車室内熱交換器に空調用空気を送風する送風機を有し、調和空気を生成して車室に供給するように構成された車室内空調ユニットとを備えた車両用空調装置であって、
上記車室内熱交換器への送風量を変更する送風量変更手段と、
上記送風量変更手段を制御する空調制御装置とを備え、
上記空調制御装置は、暖房開始時には、暖房開始後所定時間経過した場合に比べて上記車室内熱交換器への送風量が少なくなるように、上記送風量変更手段を制御する暖房立ち上げ制御を行うように構成されていることを特徴とするものである。
【００１１】
この構成によれば、暖房開始時に車室内熱交換器への送風量が少なくなるので、例えば冬季のように外気温度が低く、かつ、長時間放置されてヒートポンプ装置の高圧側の冷媒が外気温度近傍となるまで冷えている状況では、圧縮機から吐出した冷媒が車室内熱交換器を流通する際に外部空気と熱交換する量を低減することが可能になる。よって、冷媒の温度低下が抑制されるので、ヒートポンプ装置の高圧側の冷媒圧力及び温度の上昇が速くなり、暖房の立ち上がりが速くなる。
【００１２】
第２の発明は、冷媒を圧縮する圧縮機と、車室内に配設される車室内熱交換器と、車室外に配設される車室外熱交換器とを含むヒートポンプ装置と、
上記車室内熱交換器を収容するとともに、該車室内熱交換器に空調用空気を送風する送風機を有し、調和空気を生成して車室に供給するように構成された車室内空調ユニットとを備えた車両用空調装置であって、
上記車室内熱交換器への送風量を変更する送風量変更手段と、
上記送風量変更手段を制御する空調制御装置とを備え、
上記空調制御装置は、上記ヒートポンプ装置の高圧側の冷媒温度が所定の低温度以下であるか否かを推定し、所定の低温度以下であると推定される場合には、所定の低温度よりも高いと推定される場合に比べて上記車室内熱交換器への送風量が少なくなるように、上記送風量変更手段を制御する暖房立ち上げ制御を行うように構成されていることを特徴とするものである。
【００１３】
この構成によれば、例えば冬季のように外気温度が低く、かつ、長時間放置されてヒートポンプ装置の高圧側の冷媒が外気温度近傍となるまで冷えている状況では、高圧側の冷媒温度が所定の低温度以下であると推定される。この場合は、車室内熱交換器への送風量が少なくなるので、圧縮機から吐出した冷媒が車室内熱交換器を流通する際に外部空気と熱交換する量を低減することが可能になる。よって、冷媒の温度低下が抑制されるので、ヒートポンプ装置の高圧側の冷媒圧力及び温度の上昇が速くなり、暖房の立ち上がりが速くなる。
【００１４】
第３の発明は、冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び第２車室内熱交換器を収容するとともに、該第１車室内熱交換器及び第２車室内熱交換器に空調用空気を送風する送風機を有し、調和空気を生成して車室に供給するように構成された車室内空調ユニットと、
上記ヒートポンプ装置及び上記車室内空調ユニットを制御する空調制御装置とを備えた車両用空調装置であって、
上記車室内空調ユニットには、上記第１車室内熱交換器及び第２車室内熱交換器への送風量を変更する送風量変更手段を備え、該送風量変更手段は上記空調制御装置により制御され、
上記ヒートポンプ装置は、上記空調制御装置により、上記第１車室内熱交換器及び上記第２車室内熱交換器を放熱器とし、上記車室外熱交換器を吸熱器として作用させる暖房運転モードとされるように構成され、
上記空調制御装置は、暖房開始時には、暖房開始後所定時間経過した場合に比べて上記第１車室内熱交換器への送風量が少なくなるように、上記送風量変更手段を制御する暖房立ち上げ制御を行うように構成されていることを特徴とするものある。
【００１５】
この構成によれば、暖房開始時には第１車室内熱交換器への送風量が少なくなるので、圧縮機から吐出した冷媒が第１及び第２車室内熱交換器を流通する際に外部空気と熱交換する量を、第１及び第２車室内熱交換器の両方に多くの外部空気を送風する場合に比べて低減することが可能になる。したがって、冷媒の温度低下が抑制されるので、ヒートポンプ装置の高圧側の冷媒圧力及び温度の上昇が速くなり、暖房の立ち上がりが速くなる。
【００１６】
また、暖房運転モードでは、第１及び第２車室内熱交換器の両方を放熱器としているので、高い暖房能力が得られる。
【００１７】
第４の発明は、冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び第２車室内熱交換器を収容するとともに、該第１車室内熱交換器及び第２車室内熱交換器に空調用空気を送風する送風機を有し、調和空気を生成して車室に供給するように構成された車室内空調ユニットと、
上記ヒートポンプ装置及び上記車室内空調ユニットを制御する空調制御装置とを備えた車両用空調装置であって、
上記車室内空調ユニットには、上記第１車室内熱交換器及び第２車室内熱交換器への送風量を変更する送風量変更手段を備え、該送風量変更手段は上記空調制御装置により制御され、
上記ヒートポンプ装置は、上記空調制御装置により、上記第１車室内熱交換器及び上記第２車室内熱交換器を放熱器とし、上記車室外熱交換器を吸熱器として作用させる暖房運転モードとされるように構成され、
上記空調制御装置は、上記ヒートポンプ装置の高圧側の冷媒温度が所定の低温度以下であるか否かを推定し、所定の低温度以下であると推定される場合には、所定の低温度よりも高いと推定される場合に比べて上記第１車室内熱交換器への送風量が少なくなるように、上記送風量変更手段を制御する暖房立ち上げ制御を行うように構成されていることを特徴とするものである。
【００１８】
この構成によれば、ヒートポンプ装置の高圧側の冷媒温度が所定の低温度以下であると推定される場合には、上記第１車室内熱交換器への送風量が少なくなる。よって、圧縮機から吐出した冷媒が第１及び第２車室内熱交換器を流通する際に外部空気と熱交換する量を、第１及び第２車室内熱交換器の両方に多くの外部空気を送風する場合に比べて低減することが可能になる。したがって、冷媒の温度低下が抑制されるので、ヒートポンプ装置の高圧側の冷媒圧力及び温度の上昇が速くなり、暖房の立ち上がりが速くなる。
【００１９】
また、暖房運転モードでは、第１及び第２車室内熱交換器の両方を放熱器としているので、高い暖房能力が得られる。
【００２０】
第５の発明は、第１から４のいずれか１つの発明において、
上記送風量変更手段は、上記車室内空調ユニット内部の空気流れ方向を切り替えるためのドアであることを特徴とするものである。
【００２１】
この構成によれば、送風量の切り替えを容易に、かつ、確実に行えるようになる。
【００２２】
第６の発明は、第１から５のいずれか１つの発明において、車室外の気温を検出する外気温度センサを備え、
上記空調制御装置は、上記外気温度センサにより検出された車室外の気温に基づいて、車室外の気温が所定温度よりも低い場合には、上記ヒートポンプ装置の高圧側の冷媒温度が所定の低温度以下であると推定するように構成されていることを特徴とするものである。
【００２３】
すなわち、車室外の気温とヒートポンプ装置の高圧側の冷媒温度とは関連しており、車室外の気温が低ければヒートポンプ装置の高圧側の冷媒温度も低くなる。従って、車室外の気温を検出してヒートポンプ装置の高圧側の冷媒温度を推定することで、推定結果が正確なものとなる。
【００２４】
第７の発明は、第１から５のいずれか１つの発明において、
冷媒温度を検出する冷媒温度センサを備え、
上記空調制御装置は、暖房立ち上げ制御後に、上記冷媒温度センサで検出された冷媒温度が所定温度よりも高くなったと判定した場合に、上記ヒートポンプ装置及び上記車室内空調ユニットを通常暖房制御に切り替えるように構成されていることを特徴とするものである。
【００２５】
この構成によれば、実際の冷媒温度を検出し、それに基づいて通常暖房に切り替えるようにしたので、暖房の立ち上げを終えた適切なタイミングで通常暖房を行えるようになる。
【００２６】
第８の発明は、第１から５のいずれか１つの発明において、
冷媒圧力を検出する冷媒圧力検出センサを備え、
上記空調制御装置は、暖房立ち上げ制御後に、上記冷媒圧力センサで検出された冷媒圧力が所定圧力よりも高くなったと判定した場合に、上記ヒートポンプ装置及び上記車室内空調ユニットを通常暖房制御に切り替えるように構成されていることを特徴とするものである。
【００２７】
この構成によれば、実際の冷媒温度を圧力し、それに基づいて通常暖房に切り替えるようにしたので、暖房の立ち上げを終えた適切なタイミングで通常暖房を行えるようになる。
【００２８】
第９の発明は、第１から５のいずれか１つの発明において、
車室内熱交換器を通過した後の空気温度を検出する空気温度センサを備え、
上記空調制御装置は、暖房立ち上げ制御後に、上記空気温度センサで検出された空気温度が所定温度よりも高くなったと判定した場合に、上記ヒートポンプ装置及び上記車室内空調ユニットを通常暖房制御に切り替えるように構成されていることを特徴とするものである。
【００２９】
この構成によれば、車室内熱交換器を通過した後の空気温度を検出することで、冷媒温度が上昇しているか否かを的確に推定することが可能になる。そして、車室内熱交換器を通過した後の空気温度に基づいて通常暖房に切り替えるようにしたので、暖房の立ち上げを終えた適切なタイミングで通常暖房を行えるようになる。
【００３０】
第１０の発明は、第１から５のいずれか１つの発明において、
上記空調制御装置は、暖房立ち上げ制御を開始してから所定時間経過後に、上記ヒートポンプ装置及び上記車室内空調ユニットを通常暖房制御に切り替えるように構成されていることを特徴とするものである。
【００３１】
この構成によれば、暖房立ち上げ制御を開始してから経過した時間に基づいて通常暖房に切り替えるようにしたので、シンプルな制御としながら、適切なタイミングで通常暖房を行えるようになる。
【００３２】
第１１の発明は、第１０の発明において、
上記空調制御装置は、暖房立ち上げ制御を開始してから通常暖房制御に切り替える間の時間を、車室外の気温に応じて変化させるように構成されていることを特徴とするものである。
【００３３】
例えば、極寒期のように外気温度が低い場合には、暖房の立ち上げに要する時間が長時間化することが考えられる。この場合には、暖房立ち上げ制御を開始してから通常暖房運転に切り替える間の時間を長くすることで、適切なタイミングで通常暖房を行えるようになる。
【００３４】
第１２の発明は、第１０の発明において、
上記空調制御装置は、暖房立ち上げ制御を開始してから通常暖房制御に切り替える間の時間を、高圧側の冷媒圧力に応じて変化させるように構成されていることを特徴とするものである。
【００３５】
すなわち、暖房の立ち上げに要する時間が長時間化する場合には、暖房立ち上げ制御を開始してから通常暖房運転に切り替える間の時間を冷媒圧力に応じて長くすることで、適切なタイミングで通常暖房を行えるようになる。
【発明の効果】
【００３６】
第１の発明によれば、暖房開始時に車室内熱交換器への送風量を低下させるようにしたので、暖房の立ち上がりを速くすることができ、よって、乗員の快適性を向上させることができる。
【００３７】
第２の発明によれば、ヒートポンプ装置の高圧側の冷媒温度が所定の低温度以下と推定される場合に、車室内熱交換器への送風量を低下させるようにしたので、暖房の立ち上がりを速くすることができ、よって、乗員の快適性を向上させることができる。
【００３８】
第３の発明によれば、暖房開始時に第１車室内熱交換器への送風量を低減することができるので、暖房の立ち上がりを速くすることができ、よって、乗員の快適性を向上させることができる。また、暖房運転モード時には、第１及び第２車室内熱交換器の両方を放熱器として作用させることで高い暖房能力を得ることができ、このことによっても乗員の快適性を向上させることができる。
【００３９】
第４の発明によれば、ヒートポンプ装置の高圧側の冷媒温度が所定の低温度以下と推定される場合に、第１車室内熱交換器への送風量を低減することができるので、暖房の立ち上がりを速くすることができ、よって、乗員の快適性を向上させることができる。また、暖房運転モード時には、第１及び第２車室内熱交換器の両方を放熱器として作用させることで高い暖房能力を得ることができ、このことによっても乗員の快適性を向上させることができる。
【００４０】
第５の発明によれば、ドアを用いることで送風量の切り替えを容易に、かつ、確実に行うことができる。
【００４１】
第６の発明によれば、車室外の気温に基づいてヒートポンプ装置の高圧側の冷媒温度を推定するようにしたので、正確な推定結果を得ることができ、これにより適切な制御を行うことができる。
【００４２】
第７の発明によれば、冷媒温度を検出し、その冷媒温度に基づいて暖房立ち上げ制御から通常暖房制御に切り替えるようにしているので、適切なタイミングで通常暖房を行うことができ、乗員の快適性をより一層向上させることができる。
【００４３】
第８の発明によれば、冷媒圧力を検出し、その冷媒圧力に基づいて暖房立ち上げ制御から通常暖房制御に切り替えるようにしているので、適切なタイミングで通常暖房を行うことができ、乗員の快適性をより一層向上させることができる。
【００４４】
第９の発明によれば、車室内熱交換器を通過した後の空気温度を検出し、その空気温度に基づいて暖房立ち上げ制御から通常暖房制御に切り替えるようにしているので、適切なタイミングで通常暖房を行うことができ、乗員の快適性をより一層向上させることができる。
【００４５】
第１０の発明によれば、暖房立ち上げ制御を開始してから所定時間経過後に通常暖房制御に切り替えるようにしたので、シンプルな制御としながら、適切なタイミングで通常暖房を行うことができ、乗員の快適性をより一層向上させることができる。
【００４６】
第１１の発明によれば、暖房立ち上げ制御を開始してから通常暖房制御に切り替える間の時間を外気温度に応じて変化させるようにしたので、外気温度に応じた適切なタイミングで通常暖房を行うことができ、乗員の快適性をより一層向上させることができる。
【００４７】
第１２の発明によれば、暖房立ち上げ制御を開始してから通常暖房制御に切り替える間の時間を高圧側の冷媒圧力に応じて変化させるようにしたので、適切なタイミングで通常暖房を行うことができ、乗員の快適性をより一層向上させることができる。
【図面の簡単な説明】
【００４８】
【図１】実施形態１にかかる車両用空調装置の概略構成図である。
【図２】車両用空調装置のブロック図である。
【図３】下流側車室内熱交換器を空気流れ方向上流側から見た斜視図である。
【図４】車室外熱交換器の正面図である。
【図５】暖房立ち上げ運転モードにある場合の図１相当図である。
【図６】暖房運転モードにある場合の図１相当図である。
【図７】冷房運転モードにある場合の図１相当図である。
【図８】除霜運転モードにある場合の図１相当図である。
【図９】空調制御装置による制御手順を示すフローチャートである。
【図１０】実施形態１にかかる暖房サブルーチン制御手順を示すフローチャートである。
【図１１】実施形態２にかかる暖房サブルーチン制御手順を示すフローチャートである。
【図１２】実施形態３にかかる暖房サブルーチン制御手順を示すフローチャートである。
【発明を実施するための形態】
【００４９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００５０】
（実施形態１）
図１は、本発明の実施形態１にかかる車両用空調装置１の概略構成図である。車両用空調装置１が搭載された車両は、走行用蓄電池及び走行用モーターを備えた電気自動車である。
【００５１】
車両用空調装置１は、ヒートポンプ装置２０と、車室内空調ユニット２１と、ヒートポンプ装置２０及び車室内空調ユニット２１を制御する空調制御装置２２（図２に示す）とを備えている。
【００５２】
ヒートポンプ装置２０は、冷媒を圧縮する電動コンプレッサ３０と、車室内に配設される下流側車室内熱交換器（第１車室内熱交換器）３１と、車室内において下流側車室内熱交換器３１の空気流れ方向上流側に配設される上流側車室内熱交換器（第２車室内熱交換器）３２と、車室外に配設される車室外熱交換器３３と、アキュムレータ３４と、これら機器３０〜３４を接続する第１〜第４主冷媒配管４０〜４３と、第１〜第３分岐冷媒配管４４〜４６とを備えている。
【００５３】
電動コンプレッサ３０は、従来から周知の車載用のものであり、電動モーターによって駆動される。電動コンプレッサ３０の回転数を変更することによって単位時間当たりの吐出量を変化させることができる。電動コンプレッサ３０は、空調制御装置２２に接続されてＯＮ及びＯＦＦの切り替えと、回転数が制御されるようになっている。電動コンプレッサ３０には、走行用蓄電池から電力が供給される。
【００５４】
下流側車室内熱交換器３１は、図３に示すように、上側ヘッダタンク４７と、下側ヘッダタンク４８と、コア４９とを備えている。コア４９は、上下方向に延びるチューブ４９ａとフィン４９ｂとを交互に左右方向（図３の左右方向）に配列して一体化したものであり、空調用空気がチューブ４９ａ間を通過するようになっている。空調用空気の流れ方向を白抜きの矢印で示している。チューブ４９ａは、空気流れ方向に２列並んでいる。
【００５５】
空気流れ上流側のチューブ４９ａ及び下流側のチューブ４９ａの上端部は、上側ヘッダタンク４７に接続されて連通している。上側ヘッダタンク４７の内部には、該上側ヘッダタンク４７を空気流れ方向上流側と下流側とに仕切る第１仕切部４７ａが設けられている。第１仕切部４７ａよりも空気流れ方向上流側の空間が上流側のチューブ４９ａの上端に連通し、第１仕切部４７ａよりも空気流れ方向下流側の空間が下流側のチューブ４９ａの上端に連通している。
【００５６】
また、上側ヘッダタンク４７の内部には、該上側ヘッダタンク４７を左右方向に仕切る第２仕切部４７ｂが設けられている。第１仕切部４７ａにおける第２仕切部４７ｂよりも右側には、連通孔４７ｅが形成されている。
【００５７】
上側ヘッダタンク４７の左側面の空気流れ下流側には冷媒の流入口４７ｃが形成され、また、上流側には冷媒の流出口４７ｄが形成されている。
【００５８】
下側ヘッダタンク４８の内部には、上側ヘッダタンク４７の第１仕切部４７ａと同様に、空気流れ方向上流側と下流側とに仕切る仕切部４８ａが設けられている。仕切部４８ａよりも空気流れ方向上流側の空間が上流側のチューブ４９ａの下端に連通し、仕切部４８ａよりも空気流れ方向下流側の空間が下流側のチューブ４９ａの下端に連通している。
【００５９】
この下流側車室内熱交換器３１は、上記のように構成したことで合計４つのパスを有している。すなわち、流入口４７ｃから流入した冷媒は、まず、上側ヘッダタンク４７の第１仕切部４７ａよりも空気流れ方向下流側で、かつ、第２仕切部４７ｂよりも左側の空間Ｒ１に流入し、空間Ｒ１に連通するチューブ４９ａ内を下へ向かって流れる。
【００６０】
その後、下側ヘッダタンク４８の仕切部４８ａよりも空気流れ方向下流側の空間Ｓ１に流入して右側へ流れてチューブ４９ａ内を上へ向かって流れた後、上側ヘッダタンク４７の第１仕切部４７ａよりも空気流れ方向下流側で、かつ、第２仕切部４７ｂよりも右側の空間Ｒ２に流入する。
【００６１】
次いで、空間Ｒ２内の冷媒は第１仕切部４７ａの連通孔４７ｅを通り、上側ヘッダタンク４７の第１仕切部４７ａよりも空気流れ方向上流側で、かつ、第２仕切部４７ｂよりも右側の空間Ｒ３に流入し、空間Ｒ３に連通するチューブ４９ａ内を下へ向かって流れる。
【００６２】
しかる後、下側ヘッダタンク４８の仕切部４８ａよりも空気流れ方向上流側の空間Ｓ２に流入して左側へ流れてチューブ４９ａ内を上へ向かって流れた後、上側ヘッダタンク４７の第１仕切部４７ａよりも空気流れ方向上流側で、かつ、第２仕切部４７ｂよりも左側の空間Ｒ４に流入し、流出口４７ｄから外部へ流出する。
【００６３】
上流側車室内熱交換器３２は、大きさが下流側車室内熱交換器３１よりも大きいだけであり、下流側車室内熱交換器３１と同様な構造を有しているので詳細な説明は省略する。
【００６４】
車室外熱交換器３３は、車両の前部に設けられたモータルーム（エンジン駆動車両におけるエンジンルームに相当）において該モータルームの前端近傍に配設され、走行風が当たるようになっている。車室外熱交換器３３は、図４に示すように、上側ヘッダタンク５７と、下側ヘッダタンク５８と、コア５９とを備えている。コア５９は、上下方向に延びるチューブ５９ａとフィン５９ｂとを交互に左右方向に配列して一体化したものであり、空調用空気がチューブ５９ａ間を通過するようになっている。
【００６５】
チューブ５９ａの上端部は上側ヘッダタンク５７に接続されて連通している。また、チューブ５９ａの下端部は下側ヘッダタンク５８に接続されて連通している。
【００６６】
下側ヘッダタンク５８の内部には、該下側ヘッダタンク５８の内部を左右方向に仕切る仕切部５８ａが設けられている。下側ヘッダタンク５８の左側には冷媒が流入する流入管５８ｂが設けられ、右側には冷媒が流出する流出管５８ｃが設けられている。
【００６７】
従って、この車室外熱交換器３３では、流入管５８ｂから流入した冷媒は、下側ヘッダタンク５８の仕切部５８ａよりも左側の空間Ｔ１に流入した後、該空間Ｔ１に連通するチューブ５９ａを上へ向かって流れた後、上側ヘッダタンク５７に流入して右側へ流れてから、チューブ５９ａを下へ向かって流れる。その後、下側ヘッダタンク５８の仕切部５８ａよりも右側の空間Ｔ２に流入した後、流出管５８ｃから外部へ流出する。
【００６８】
図１に示すように、車両にはクーリングファン３７が設けられている。このクーリングファン３７は、ファンモーター３８によって駆動され、車室外熱交換器３３に空気を送風するように構成されている。ファンモーター３８は、空調制御装置２２に接続されてＯＮ及びＯＦＦの切り替えと、回転数が制御されるようになっている。ファンモーター３８にも走行用蓄電池から電力が供給される。
【００６９】
尚、クーリングファン３７は、例えば走行用インバーター等を冷却するためのラジエータに空気を送風することもできるものであり、空調の要求時以外にも作動させることが可能である。
【００７０】
第１主冷媒配管４０は、電動コンプレッサ３０の吐出口と下流側車室内熱交換器３１の冷媒流入口とを接続するものである。また、第２主冷媒配管４１は、下流側車室内熱交換器３１の冷媒流出口と車室外熱交換器３３の冷媒流入口とを接続するものである。第３主冷媒配管４２は、車室外熱交換器３３の冷媒流出口と上流側車室内熱交換器３２の冷媒流入口とを接続するものである。第４主冷媒配管４３は、上流側車室内熱交換器３２の冷媒流出口と電動コンプレッサ３０の吸入口とを接続するものである。
【００７１】
また、第１分岐冷媒配管４４は、第２主冷媒配管４１から分岐しており、第３主冷媒配管４２に接続されている。第２分岐冷媒配管４５は、第２主冷媒配管４１から分岐しており、第４主冷媒配管４３に接続されている。第３分岐冷媒配管４６は、第３主冷媒配管４２から分岐しており、第４主冷媒配管４３に接続されている。
【００７２】
アキュムレータ３４は、第４主冷媒配管４３の中途部において電動コンプレッサ３０の吸入口近傍に配設されている。
【００７３】
また、ヒートポンプ装置２０は、高圧側流路切替装置５０、低圧側流路切替装置５１、第１膨張弁５２、第２膨張弁５３、第１逆止弁５４及び第２逆止弁５５を備えている。
【００７４】
高圧側流路切替装置５０は、本発明の流路切替装置を構成するものであり、空調制御装置２２によって制御される電動タイプの三方弁である。高圧側流路切替装置５０の配設位置は、第２主冷媒配管４１の中途部であり、第１分岐冷媒配管４４が接続されている。
【００７５】
高圧側流路切替装置５０には、図示しないが切替弁が内蔵されている。この切替弁を作動させることにより、冷媒の流れを変えたり、各配管への冷媒流入量を変更することができるようになっている。
【００７６】
低圧側流路切替装置５１も上記高圧側流路切替装置５０と同様な電動タイプの三方弁で構成されており、空調制御装置２２によって制御される。低圧側流路切替装置５１は、第４主冷媒配管４３の中途部に設けられており、第３分岐冷媒配管４６が接続されている。
【００７７】
第１膨張弁５２及び第２膨張弁５３は、電動タイプのものであり、流路を絞って冷媒を膨張させる膨張状態と、流路を開放して冷媒を膨張させずに流す非膨張状態とに切り替えられるようになっている。第１膨張弁５２及び第２膨張弁５３は空調制御装置２２によって制御される。膨張状態では、空調負荷の状態に応じて開度が設定される。
【００７８】
第１膨張弁５２は、第２主冷媒配管４１の高圧側流路切替装置５０よりも車室外熱交換器３３側に配設されている。第２膨張弁５３は、第３主冷媒配管４２の第３分岐冷媒配管４６よりも車室外熱交換器３３側に配設されている。
【００７９】
第１逆止弁５４は、第３主冷媒配管４２に配設されており、第３主冷媒配管４２の車室外熱交換器３３側から上流側車室内熱交換器３２側へ向けての冷媒を流れを許容し、逆方向への冷媒の流れを阻止するように構成されている。
【００８０】
第２逆止弁５５は、第２分岐冷媒配管４５に配設されており、第２分岐冷媒配管４５の主冷媒配管４３側から第２主冷媒配管４１側へ向けての冷媒を流れを許容し、逆方向への冷媒の流れを阻止するように構成されている。
【００８１】
また、車室内空調ユニット２１は、下流側車室内熱交換器３１及び上流側車室内熱交換器３２を収容するケーシング６０と、ケーシング６０に収容される空気加熱器６１と、ケーシング６０内部（車室内空調ユニット２１内部）の空気流れ方向を切り替えるためエアミックスドア（温度調節ドア）６２と、エアミックスドア６２を駆動するエアミックスドアアクチュエータ６３と、吹出モード切替ドア６４と、送風機６５とを備えている。エアミックスドア６２が送風量変更手段を構成している。
【００８２】
送風機６５は、車室内の空気（内気）と車室外の空気（外気）との一方を選択してケーシング６０内に空調用空気として送風するためのものである。送風機６５は、シロッコファン６５ａと、シロッコファン６５ａを回転駆動する送風モーター６５ｂとを備えている。送風モーター６５ｂは、空調制御装置２２に接続されてＯＮ及びＯＦＦの切り替えと、回転数が制御されるようになっている。送風モーター６５ｂにも走行用蓄電池から電力が供給される。
【００８３】
ケーシング６０は、車室内においてインストルメントパネル（図示せず）の内部に配設されている。ケーシング６０には、デフロスタ吹出口６０ａ、ベント吹出口６０ｂ及びヒート吹出口６０ｃが形成されている。これら吹出口６０ａ〜６０ｃはそれぞれ吹出モード切替ドア６４によって開閉される。吹出モード切替ドア６４は、図示しないが、空調制御装置２２に接続されたアクチュエータによって動作するようになっている。吹出モードとしては、例えば、デフロスタ吹出口６０ａに空調風を流すデフロスタモード、ベント吹出口６０ｂに空調風を流すベントモード、ヒート吹出口６０ｃに空調風を流すヒートモード、デフロスタ吹出口６０ａ及びヒート吹出口６０ｃに空調風を流すデフ／ヒートモード、ベント吹出口６０ｂ及びヒート吹出口６０ｃに空調風を流すバイレベルモード等である。
【００８４】
ケーシング６０内に導入された空調用空気は、全量が上流側車室内熱交換器３２を通過するようになっている。
【００８５】
また、ケーシング６０内部には、バイパス通路６０ｄが形成されている。このバイパス通路６０ｄは、上流側車室内熱交換器３２を通過した空気を下流側車室内熱交換器３１側に流さないようにして、該下流側車室内熱交換器３１を迂回させて下流側へ流すためのものである。
【００８６】
エアミックスドア６２は、ケーシング６０内において、上流側車室内熱交換器３２と下流側車室内熱交換器３１との間に収容されている。エアミックスドア６２は、上流側車室内熱交換器３２を通過した空気のうち、下流側車室内熱交換器３１を通過する空気量を変更することによって、上流側車室内熱交換器３２を通過した空気と、下流側車室内熱交換器３１を通過した空気との混合割合を決定して吹出空気の温度調節を行うためのものである。
【００８７】
エアミックスドア６２の開度は、下流側車室内熱交換器３１への空気流れを遮断する開度（バイパス通路６０ｄを全開とする開度）と、上流側車室内熱交換器３２を通過した空気の全量を下流側車室内熱交換器３１に流す開度（バイパス通路６０ｄを全閉とする開度）との間で任意の開度に切り替えられるようになっている。
【００８８】
下流側車室内熱交換器３１を通過した空気及びバイパス通路６０ｄを流通した空気は、ケーシング６０内部におけるエアミックスドア６２よりも下流側の領域で混合して所望温度の調和空気となる。
【００８９】
ケーシング６０における下流側車室内熱交換器３１の下流側には、上記空気加熱器６１が収容されている。空気加熱器６１は、例えば電流を流すことによって発熱するＰＴＣ素子を用いたＰＴＣヒータで構成することができる。空気加熱器６１は空調制御装置２２に接続され、ＯＮ及びＯＦＦの切り替えと、発熱量（電力供給量）が制御されるようになっている。空気加熱器６１にも走行用蓄電池から電力が供給される。
【００９０】
さらに、車両用空調装置１は、外気温度センサ７０と、車室外熱交換器温度センサ７１と、高圧側冷媒圧力検出センサ７２と、上流側車室内熱交換器温度センサ７３と、下流側車室内熱交換器温度センサ７４と、吹出空気温度センサ７５と、上流側車室内熱交換器センサ（冷媒圧力センサ、冷媒温度センサ）７７とを備えている。これらセンサ７０〜７５、７７は空調制御装置２２に接続されている。
【００９１】
外気温度センサ７０は、車室外熱交換器３３よりも空気流れ方向上流側に配設されており、車室外熱交換器３３に流入する前の外部空気の温度（外気温度ＴＧ）を検出するためのものである。車室外熱交換器温度センサ７１は、車室外熱交換器３３の空気流れ方向下流側の面に配設されており、車室外熱交換器３３の表面温度を検出するためのものである。
【００９２】
高圧側冷媒圧力検出センサ７２は、第１主冷媒配管４０における電動コンプレッサ３０の吐出口側に配設されており、ヒートポンプ装置２０の高圧側の冷媒圧力、即ち、下流側車室内熱交換器３１を流通する冷媒の圧力を検出する。
【００９３】
上流側車室内熱交換器温度センサ７３は、上流側車室内熱交換器３２の空気流れ方向下流側に配設されており、上流側車室内熱交換器３２の表面温度を検出することによって上流側車室内熱交換器３２を通過した外部空気の温度を得るためのものである。
【００９４】
下流側車室内熱交換器温度センサ７４は、下流側車室内熱交換器３１の空気流れ方向下流側に配設されており、下流側車室内熱交換器３１の表面温度を検出することによって下流側車室内熱交換器３１を通過した外部空気の温度を得るためのものである。
【００９５】
吹出空気温度センサ７５は、ケーシング６０から吹き出す吹出空気の温度、即ち、車室内へ吹き出す調和空気の温度を検出するためのものであり、車室の所定箇所に配設されている。
【００９６】
上流側車室内熱交換器センサ７７は、上流側車室内熱交換器３２を流通する冷媒の圧力及び温度を個別に検出するためのものである。
【００９７】
さらに、空調装置１には、車室内の温度（ＴＲ）を検出するための車室内温度センサ７６が設けられており、このセンサ７６も空調制御装置２２に接続されている。
【００９８】
空調制御装置２２は、例えば、乗員による設定温度や外気温、車室内温度、日射量等の情報に基づいてヒートポンプ装置２０の運転モードを設定し、送風機６５の風量（送風モーター６５ｂの回転数）やエアミックスドア６２の開度を設定するとともに、高圧側流路切替装置５０のモードも設定する。
【００９９】
そして、その設定した運転モードとなるようにヒートポンプ装置２０を制御し、さらに、設定風量や設定開度となるように送風機６５及びエアミックスドアアクチュエータ６３を制御するものであり、周知の中央演算装置やＲＯＭ、ＲＡＭ等によって構成されている。
【０１００】
また、空調の負荷に応じて電動コンプレッサ３０やファンモーター３８を制御し、また、必要に応じて空気加熱器６１も制御する。
【０１０１】
空調制御装置２２は、通常のオートエアコン制御と同様に後述するメインルーチンにおいて、ヒートポンプ装置２０の運転モードの切り替え、送風機６５の風量、エアミックスドア６２の開度、吹出モードの切り替え、電動コンプレッサ３０、送風モーター６５ｂの制御を行い、例えば、ファンモーター３８は、基本的には電動コンプレッサ３０の作動中には作動するが、電動コンプレッサ３０が停止状態であっても、走行用インバーター等の冷却が必要な場合には作動する。
【０１０２】
ヒートポンプ装置２０の運転モードは、暖房立ち上げ運転モード、通常暖房運転モード、冷房運転モード、除霜運転モードの４種類ある。
【０１０３】
図５に示す暖房立ち上げ運転モードは、例えば外気温度が０℃よりも低く（極低外気時）で、かつ、車両が長時間放置された場合のように、ヒートポンプ装置２０の高圧側の冷媒温度が外気温程度（所定の低温度）以下となるまで低下していると推定される状況で選択される運転モードである。暖房立ち上げ運転モードでは、下流側車室内熱交換器３１及び上流側車室内熱交換器３２を放熱器とし、車室外熱交換器３３を吸熱器として作用させる。図中、破線は冷媒の流れが無い冷媒配管を示している。
【０１０４】
この暖房立ち上げ運転モードでは、高圧側流路切替装置５０は、下流側車室内熱交換器３１から流出した冷媒を上流側車室内熱交換器３２に流入させるように流路を切り替える。また、低圧側流路切替装置５１は、車室外熱交換器３３から流出した冷媒をアキュムレータ３４に流入させるように流路を切り替える。第１膨張弁５２は膨張状態にし、第２膨張弁５３は非膨張状態にする。
【０１０５】
また、暖房立ち上げ運転モードでは、車室内空調ユニット２１のエアミックスドア６２の開度を、バイパス通路６０ｄが全開となるように制御する。これが暖房立ち上げ制御である。したがって、暖房立ち上げ運転モードでは、上流側車室内熱交換器３２を通過した空気が下流側車室内熱交換器３１を通過することはない。
【０１０６】
尚、エアミックスドア６２の周縁部のシール性の問題等によって多少の空気が下流側車室内熱交換器３１を通過することはあるが、この状態も、エアミックスドア６２の開度がバイパス通路６０ｄを全開とする開度にあるとする。
【０１０７】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１から高圧側流路切替装置５０に流入する。高圧側流路切替装置５０に流入した冷媒は、第１分岐冷媒配管４４を流れて上流側車室内熱交換器３２に流入し、上流側車室内熱交換器３２を循環する。
【０１０８】
上流側車室内熱交換器３２を循環した冷媒は、第４主冷媒配管４３から第２分岐冷媒配管４５を通って第２主冷媒配管４１に流入する。第２主冷媒配管４１に流入した冷媒は、第１膨張弁５２を通過することで膨張し、車室外熱交換器３３に流入する。車室外熱交換器３３に流入した冷媒は、外部空気から吸熱して第３主冷媒配管４２、第３分岐冷媒配管４６を順に通ってアキュムレータ３４を経て電動コンプレッサ３０に吸入される。
【０１０９】
この暖房立ち上げ運転モードでは、電動コンプレッサ３０から吐出された冷媒は、下流側車室内熱交換器３１を循環するが、下流側車室内熱交換器３１には空調用空気が流れないようにエアミックスドア６２の開度が設定されているので、下流側車室内熱交換器３１を循環する冷媒と外部空気との熱交換は殆ど行われない。よって、ヒートポンプ装置２０の高圧側の冷媒の温度及び圧力上昇が速くなる。
【０１１０】
図６に示す通常暖房運転モードは、例えば外気温度が０℃よりも低く（極低外気時）、かつ、ヒートポンプ装置２０の高圧側の冷媒温度が外気温度よりも高い場合等のように、暖房立ち上げ運転モードが不要であると推定される状況で選択される運転モードである。
【０１１１】
通常暖房運転モードでは、下流側車室内熱交換器３１及び上流側車室内熱交換器３２を放熱器とし、車室外熱交換器３３を吸熱器として作用させる。
【０１１２】
また、通常暖房運転モードでは、車室内空調ユニット２１のエアミックスドア６２の開度を、乗員の設定温度等から求めた開度となるように制御する。これが通常暖房制御である。したがって、通常暖房運転モードでは、一般に、上流側車室内熱交換器３２を通過した空気が下流側車室内熱交換器３１を通過することになるので、上記暖房立ち上げ運転モードに比べて下流側車室内熱交換器３１を通過する空気量が多くなる。
【０１１３】
すなわち、高圧側流路切替装置５０及び低圧側流路切替装置５１は、上記暖房運転モードと同様にする。第１膨張弁５２は膨張状態にし、第２膨張弁５３は非膨張状態にする。
【０１１４】
この状態で電動コンプレッサ３０を作動させると、電動コンプレッサ３０から吐出された高圧冷媒は上記暖房運転モードと同様に流れるので、下流側車室内熱交換器３１及び上流側車室内熱交換器３２に高温状態の冷媒が流入することになる。空調用空気は、下流側車室内熱交換器３１及び上流側車室内熱交換器３２の両方によって加熱されることになり、よって、高い暖房能力が得られる。
【０１１５】
図７に示す冷房運転モードは、例えば外気温度が２５℃よりも高い場合に選択される運転モードである。冷房運転モードでは、下流側車室内熱交換器３１を放熱器とし、上流側車室内熱交換器３２を吸熱器とし、車室外熱交換器３３を放熱器として作用させる。
【０１１６】
すなわち、高圧側流路切替装置５０は、下流側車室内熱交換器３１から流出した冷媒を上流側車室内熱交換器３２の流入口に流入しないように、第１膨張弁５２側へ流すように流路を切り替える。また、低圧側流路切替装置５１は、上流側車室内熱交換器３２から流出した冷媒をアキュムレータ３４に流入させるように流路を切り替える。第１膨張弁５２は非膨張状態にし、第２膨張弁５３は膨張状態にする。
【０１１７】
また、冷房運転モードでは、車室内空調ユニット２１のエアミックスドア６２の開度を、乗員の設定温度等から求めた開度となるように制御する。
【０１１８】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１を通って膨張することなく、車室外熱交換器３３に流入する。車室外熱交換器３３に流入した冷媒は放熱して第３主冷媒配管４２を通って第２膨張弁５３を通過することで膨張し、上流側車室内熱交換器３２に流入する。上流側車室内熱交換器３２に流入した冷媒は、上流側車室内熱交換器３２を循環して空調用空気から吸熱する。上流側車室内熱交換器３２を循環した冷媒は、第４主冷媒配管４３を通ってアキュムレータ３４を経て電動コンプレッサ３０に吸入される。
【０１１９】
エアミックスドア６２の開度によって下流側車室内熱交換器３１を通過する空気量と、上流側車室内熱交換器３２を通過する空気量とが変更されて所望温度の調和空気が生成される。
【０１２０】
図８に示す除霜運転モードは、車室外熱交換器３３に霜が付着した場合に選択される運転モードである。除霜運転モードでは、下流側車室内熱交換器３１、上流側車室内熱交換器３２及び車室外熱交換器３３を放熱器として作用させる。
【０１２１】
すなわち、高圧側流路切替装置５０は、下流側車室内熱交換器３１を流通した冷媒を、上流側車室内熱交換器３２及び車室外熱交換器３３に流すように流路を切り替える。また、低圧側流路切替装置５１は、車室外熱交換器３３から流出した冷媒をアキュムレータ３４に流入させるように流路を切り替える。第１膨張弁５２は膨張状態にし、第２膨張弁５３は非膨張状態にする。
【０１２２】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１から高圧側流路切替装置５０に流入する。高圧側流路切替装置５０から流出した冷媒は、第１分岐冷媒配管４４を流れて上流側車室内熱交換器３２に流入し、上流側車室内熱交換器３２を循環する。上流側車室内熱交換器３２を循環した冷媒は、第４主冷媒配管４３から第２分岐冷媒配管４５を通って第２主冷媒配管４１に流入する。また、高圧側流路切替装置５０から流出した他の冷媒は、上流側車室内熱交換器３２を循環せずに、第２主冷媒配管４１に流入する。
【０１２３】
第２主冷媒配管４１で合流した冷媒は、車室外熱交換器３３に流入する。車室外熱交換器３３に流入した冷媒は、外部空気から吸熱した後、第３主冷媒配管４２、第３分岐冷媒配管４６を順に通ってアキュムレータ３４を経て電動コンプレッサ３０に吸入される。
【０１２４】
暖房立ち上げ運転モード、通常暖房運転モード、冷房運転モード、除霜運転モードのいずれの運転モードであっても、下流側車室内熱交換器３１は放熱器として作用する。
【０１２５】
また、いずれの運転モードであっても、車室外熱交換器３３に対して冷媒を流入させる冷媒配管は第２主冷媒配管４１であり、また、車室外熱交換器３３から冷媒を流出させる冷媒配管は第３主冷媒配管４２である。従って、車室外熱交換器３３では、常に同一方向に冷媒が流れることなり、冷媒が逆方向にも流れる構成のヒートポンプ装置と比較した場合に、冷媒の分流性について同方向の分流性をのみを考慮した車室外熱交換器３３とすればよく、車室外熱交換器３３の熱交換性能を比較的容易に高めることができる。
【０１２６】
また、いずれの運転モードであっても、下流側車室内熱交換器３１の空気流れ方向下流側のチューブ４９ａに冷媒を流通させた後、上流側のチューブ４９ａに冷媒を流通させてから排出するようにできる。これにより、下流側車室内熱交換器３１の冷媒の流れを外部空気の流れ方向と対向させる、対向流配置となるように下流側車室内熱交換器３１を配置することができる。また、いずれの運転モードであっても、同様に、上流側車室内熱交換器３２の空気流れ方向下流側のチューブ（図示せず）に冷媒を流通させた後、上流側のチューブ（図示せず）に冷媒を流通させてから排出するようにできるので、上流側車室内熱交換器３２も対向流配置が可能となる。
【０１２７】
下流側車室内熱交換器３１を対向流配置とすることで、特に通常暖房モードにおいてより高温の冷媒が下流側車室内熱交換器３１における空気流れ方向下流側を流れることになるので、効率よく暖房を行うことができ、暖房性能が向上する。
【０１２８】
また、上流側車室内熱交換器３２を対向流配置とすることで、特に冷房モードにおいてより低温の冷媒が上流側車室内熱交換器３２における空気流れ方向下流側を流れることになるので、効率よく冷房を行うことができ、冷房性能が向上する。
【０１２９】
図２に示すように、空調制御装置２２は、車室外熱交換器３３に霜が付着しているか否かを判定する着霜判定部２２ａを有している。着霜判定部２２ａは、外気温度センサ７０で検出された外気温度（ＴＧ）から、車室外熱交換器温度センサ７１で検出された車室外熱交換器３３の表面温度を差し引いて、その値が例えば２０（℃）よりも大きな値である場合には、着霜していると判定する。すなわち、車室外熱交換器３３に霜が付着していると、車室外熱交換器３３において冷媒が吸熱できず、冷媒温度が上昇しないことを利用して着霜判定を行っている。従って、上記の２０という値は、車室外熱交換器３３が着霜しているか否かを判定できる値であればよく、他の値であってもよい。
【０１３０】
次に、図９及び図１０に基づいて空調制御装置２２による制御手順を説明する。図９はメインルーチンを示すものである。スタート後のステップＳＡ１では外気温度センサ７０で検出された外気温度（ＴＧ）を読み込む。ステップＳＡ１に続くステップＳＡ２では、外気温度（ＴＧ）が０℃よりも低いか、０℃以上であるか判定する。
【０１３１】
ステップＳＡ２で外気温度（ＴＧ）が０℃よりも低いと判定された場合には、ステップＳＡ３に進み、図１０に示す暖房サブルーチン制御を行い、メインルーチンのエンドに進む。暖房サブルーチン制御では、車室内空調ユニット２１の吹出モードは主にヒートモードが選択される。また、吹出空気の温度が目標温度となるように、エアミックスドア６２を動作させる。
【０１３２】
ステップＳＡ２で外気温度（ＴＧ）が０℃以上であると判定された場合には、ステップＳＡ４に進み、ヒートポンプ装置２０を冷房運転モードに切り替えてメインルーチンのエンドに進む。
【０１３３】
また、車室外熱交換器３３に霜が付着している場合には、除霜運転モードを選択する。
【０１３４】
図１０に示すフローチャートに示す暖房サブルーチン制御について説明する。スタート後のステップＳＢ１では、外気温度センサ７０で検出された外気温度（ＴＧ）を読み込む。
【０１３５】
ステップＳＢ１に続くステップＳＢ２では、外気温度（ＴＧ）が−１０℃よりも高いか否かを判定する。ステップＳＢ２でＮＯと判定されて外気温度（ＴＧ）が−１０℃以下である場合には、車両が冷間始動状態であるとして、ステップＳＢ３に進み、運転モードを暖房立ち上げ運転モードとする。尚、−１０という値は、ヒートポンプ装置２０の高圧側の冷媒温度が低い状態か否かを判定できる値であればよいので、他の値を用いてもよい。
【０１３６】
暖房立ち上げ運転モードでは、エアミックスドア６２がバイパス通路６０ｄを全開とするので、下流側車室内熱交換器３１を通過する空気量は、通常暖房運転モードに比べて少なくなる。
【０１３７】
その後、ステップＳＢ４に進み、高圧側冷媒圧力検出センサ７２の出力値、即ち、ヒートポンプ装置２０の高圧側の冷媒圧力（Ｐ）を読み込む。冷媒圧力（Ｐ）を読み込んだ後、ステップＳＢ５に進み、冷媒圧力（Ｐ）が１．０ＭＰａよりも高いか否かを判定する。ステップＳＢ５でＮＯと判定され、冷媒圧力（Ｐ）が１．０ＭＰａ以下である場合には、ステップＳＢ４に戻り、再度、ヒートポンプ装置２０の高圧側の冷媒圧力（Ｐ）を読み込み、ステップＳＢ５で同様な判定を行う。つまり、高圧側の冷媒圧力が１．０ＭＰａよりも高くなるまではヒートポンプ装置２０の高圧側の冷媒温度が低い状態であると推定して、暖房立ち上げ運転モードを継続する。
【０１３８】
尚、上記判定圧力値である１．０ＭＰａは、外気温度に応じて変化させてもよい。例えば外気温度が低くなるほど、ヒートポンプ装置２０の高圧側の冷媒温度の上昇速度が遅くなるので、判定圧力値を小さくする。
【０１３９】
ステップＳＢ５でＹＥＳと判定されてヒートポンプ装置２０の高圧側の冷媒圧力が１ＭＰａよりも高くなった場合には、冷媒温度も高くなっていると推定され、暖房立ち上げ運転が不要であると考えられる。この場合、ステップＳＢ６に進み、通常暖房運転モードに切り替える。
【０１４０】
ステップＳＢ２でＹＥＳと判定されて外気温度（ＴＧ）が−１０℃よりも高い場合には、ヒートポンプ装置２０の高圧側の冷媒温度が高く、暖房立ち上げ運転が必要ないと推定できるので、ステップＳＢ６に進み、ヒートポンプ装置２０の運転モードを通常暖房運転モードとする。  
【０１４１】
したがって、空調制御装置２２は、ステップＳＢ２、ＳＢ５においてヒートポンプ装置２０の高圧側の冷媒温度が所定の低温度以下であるか否かを推定している。そして、ヒートポンプ装置２０の高圧側の冷媒温度が所定の低温度以下と推定する（ステップＳＢ４でＮＯ、ステップＳＢ５でＮＯ）と、暖房立ち上げ運転モードで運転する。一方、ヒートポンプ装置２０の高圧側の冷媒温度が所定の低温度よりも高いと推定する（ステップＳＢ２でＹＥＳ、ステップＳＢ５でＹＥＳ）と、通常暖房運転モードとする。
【０１４２】
つまり、空調制御装置２２は、ヒートポンプ装置２０の高圧側の冷媒温度が所定の低温度以下であると推定される場合には、所定の低温度よりも高いと推定される場合に比べて下流側車室内熱交換器３１への送風量が少なくなるように、エアミックスドア６２を制御している。
【０１４３】
暖房運転モード中に着霜判定部２２ａによって車室外熱交換器３３に霜が付着していると判定された場合には、ヒートポンプ装置２０の運転モードは除霜運転モードに切り替える。除霜が終了したら暖房運転モードに切り替える。
【０１４４】
以上説明したように、この実施形態１によれば、例えば冬季のように外気温度が低く、かつ、長時間放置されてヒートポンプ装置２０の高圧側の冷媒が外気温度近傍となるまで冷えている状況では、高圧側の冷媒温度が所定の低温度以下であると推定される。この場合は、エアミックスドア６２によってバイパス通路６０ｄを全開とするので、下流側車室内熱交換器３１への送風量が通常暖房運転モード時に比べて少なくなる。これにより、電動コンプレッサ３０から吐出した冷媒が下流側車室内熱交換器３１を流通する際に外部空気と熱交換する量を低減することが可能になる。よって、ヒートポンプ装置２０の高圧側の冷媒の温度低下が抑制されるので冷媒圧力及び温度の上昇が速くなって暖房の立ち上がりが速くなり、乗員の快適性を向上できる。
【０１４５】
また、下流側車室内熱交換器３１への送風量の切り替えをエアミックスドア６２で行うようにしているので、送風量の切り替えを容易に、かつ、確実に行うことができる。
【０１４６】
また、暖房立ち上げ運転モード後に、冷媒圧力が所定圧力よりも高くなったと判定した場合に、ヒートポンプ装置２０及び車室内空調ユニット２１を通常暖房モードに切り替えるようにしたので、実際の冷媒温度に基づいて通常暖房に切り替えることができる。これにより、暖房の立ち上げを終えた適切なタイミングで通常暖房を行えるようになる。
【０１４７】
また、車室外の気温である外気温度（ＴＧ）とヒートポンプ装置２０の高圧側の冷媒温度とは関連しており、外気温度（ＴＧ）が低ければヒートポンプ装置２０の高圧側の冷媒温度も低くなっていると考えられる。本実施形態では、外気温度（ＴＧ）を検出してヒートポンプ装置２０の高圧側の冷媒温度を推定するようにしているので、推定結果が正確なものとなり、適切な制御を行うことができる。
【０１４８】
また、上記実施形態では、ステップＳＢ４で暖房立ち上げ運転モードの後に高圧側の冷媒圧力（Ｐ）を読み込み、その後、ステップＳＢ５で暖房の立ち上げ運転を継続すべきか、それとも終了して通常暖房運転モードとすべきかを判定するようにしているが、これに限らず、例えば、暖房立ち上げ運転モードを開始した後に、ステップＳＢ４で上流側車室内熱交換器センサ７７で検出された冷媒温度が所定温度よりも高くなったと判定した場合に、ヒートポンプ装置２０及び車室内空調ユニット２１を通常暖房運転モード（通常暖房制御）に切り替えるように構成してもよい。この場合、実際の冷媒温度を検出し、それに基づいて通常暖房に切り替えることができるので、暖房の立ち上げを終えた適切なタイミングで通常暖房を行うことができ、乗員の快適性を向上できる。
【０１４９】
また、上流側車室内熱交換器３２を通過した後の空気温度を上流側車室内熱交換器温度センサ７３により検出し、暖房立ち上げ制御を開始した後に、上流側車室内熱交換器温度センサ７３で検出された空気温度が所定温度よりも高くなったと判定した場合に、ヒートポンプ装置２０及び車室内空調ユニット２１を通常暖房運転モードに切り替えるようにしてもよい。
【０１５０】
この場合、上流側車室内熱交換器３２を通過した後の空気温度に基づいて暖房立ち上げ運転モードから通常暖房運転モードに切り替えることができる。よって、適切なタイミングで通常暖房を行うことができ、乗員の快適性をより一層向上させることができる。
【０１５１】
尚、上記判定に用いる温度は、外気温度に応じて変化させてもよい。例えば外気温度が低くなるほど、高圧側の冷媒温度の上昇速度が遅くなるので、判定に用いる温度を低くする。
【０１５２】
（実施形態２）
図１１は、本発明の実施形態２にかかる暖房サブルーチン制御手順を示すフローチャートである。実施形態２は、暖房サブルーチン制御手順が実施形態１のものと異なるだけであり、他の部分は実施形態１と同じである。以下、実施形態１と異なる部分について詳細に説明する。
【０１５３】
図１１に示すフローチャートのステップＳＣ１では、外気温度センサ７０で検出された外気温度（ＴＧ）を読み込む。
【０１５４】
ステップＳＣ１に続くステップＳＣ２では、外気温度（ＴＧ）が−１０℃よりも高いか否かを判定する。ステップＳＣ２でＮＯと判定されて外気温度（ＴＧ）が−１０℃以下である場合には、車両が冷間始動状態であるとして、ステップＳＣ３に進み、運転モードを暖房立ち上げ運転モードとする。
【０１５５】
その後、ステップＳＣ４に進み、タイマーを０にセットして計時を開始する。タイマーにより、暖房立ち上げ運転モードによる運転を開始してからの経過時間を得ることができる。
【０１５６】
その後、ステップＳＣ５に進み、タイマーが６０秒を越えたか否か、即ち、暖房立ち上げ運転モードによる運転を開始してから所定時間経過したか否かを判定する。ステップＳＣ５でＮＯと判定されてタイマーが６０秒を経過していない場合には、ステップＳＣ５の判定をもう一度行い、６０秒経過するまで待つ。
【０１５７】
ステップＳＣ５でＹＥＳと判定されてタイマーが６０秒を経過した場合には、ステップＳＣ６に進み、通常暖房運転モードに切り替える。
【０１５８】
つまり、この実施形態２では、暖房立ち上げ運転モードによる運転を開始してから所定時間経過後に、ヒートポンプ装置２０及び車室内空調ユニット２１を通常暖房運転モードに切り替えるように構成されている。ヒートポンプ装置２０の高圧側の冷媒温度が所定の低温度以下であるか否かを推定するステップは、ステップＳＣ２、ＳＣ５である。
【０１５９】
したがって、この実施形態２によれば、実施形態１と同様に、ヒートポンプ装置２０の高圧側の冷媒が外気温度近傍となるまで冷えている状況では、エアミックスドア６２によってバイパス通路６０ｄを全開とするので、下流側車室内熱交換器３１への送風量が通常暖房運転モード時に比べて少なくなる。これにより、冷媒の温度低下が抑制されるので、ヒートポンプ装置２０の高圧側の冷媒圧力及び温度の上昇が速くなって暖房の立ち上がりが速くなり、乗員の快適性を向上できる。
【０１６０】
また、暖房立ち上げ運転モードによる運転を開始してから経過した時間に基づいて通常暖房運転モードに切り替えるようにしたので、シンプルな制御としながら、適切なタイミングで通常暖房を行えるようになる。
【０１６１】
また、暖房立ち上げ運転モードによる運転を開始してから通常暖房運転モードに切り替える間の時間（所定時間）を、外気温度に応じて変化させるようにしてもよい。具体的には、外気温度が低ければ低いほど、所定時間を長くする。極寒期で外気温度が低い場合には、暖房の立ち上げに要する時間が長時間化することが考えられるが、このような場合に、暖房立ち上げ制御を開始してから通常暖房運転に切り替える間の時間を長くすることで、適切なタイミングで通常暖房を行うことができるようになる。
【０１６２】
また、暖房立ち上げ運転モードによる運転を開始してから通常暖房運転モードに切り替える間の時間（所定時間）を、高圧側の冷媒圧力に応じて変化させるようにしてもよい。具体的には、高圧側の冷媒圧力が低ければ低いほど、所定時間を長くする。極寒期で外気温度が低い場合には、高圧側の冷媒圧力が低く、暖房の立ち上げに要する時間が長時間化することが考えられるが、このような場合に、暖房立ち上げ制御を開始してから通常暖房運転に切り替える間の時間を長くすることで、適切なタイミングで通常暖房を行うことができるようになる。
【０１６３】
（実施形態３）
図１２は、本発明の実施形態３にかかる暖房サブルーチン制御手順を示すフローチャートである。実施形態３は、暖房サブルーチン制御手順が実施形態１のものと異なるだけであり、他の部分は実施形態１と同じである。以下、実施形態１と異なる部分について詳細に説明する。
【０１６４】
図１２に示すフローチャートのステップＳＤ１では、外気温度センサ７０で検出された外気温度（ＴＧ）を読み込む。
【０１６５】
ステップＳＤ１に続くステップＳＤ２では、外気温度（ＴＧ）が−１０℃よりも高いか否かを判定する。ステップＳＤ２でＮＯと判定されて外気温度（ＴＧ）が−１０℃以下である場合には、車両が冷間始動状態であるとして、ステップＳＤ３に進み、運転モードを暖房立ち上げ運転モードとする。
【０１６６】
その後、ステップＳＤ４に進み、高圧側冷媒圧力検出センサ７２の出力値、即ち、ヒートポンプ装置２０の高圧側の冷媒圧力（Ｐ）を読み込む。冷媒圧力（Ｐ）を読み込んだ後、ステップＳＤ５に進み、冷媒圧力（Ｐ）が０．５ＭＰａよりも高いか否かを判定する。ステップＳＤ５でＮＯと判定され、冷媒圧力（Ｐ）が０．５ＭＰａ以下である場合には、ステップＳＤ４に戻り、再度、ヒートポンプ装置２０の高圧側の冷媒圧力（Ｐ）を読み込み、ステップＳＤ５で同様な判定を行う。この間、暖房立ち上げ運転モードが継続される。
【０１６７】
ステップＳＤ５でＹＥＳと判定されて高圧側の冷媒圧力が０．５ＭＰａよりも高くなった場合には、冷媒の温度が上昇していると推定できる。この場合、ステップＳＤ６に進んでエアミックスドア６２を１／２開状態とする。すなわち、上流側車室内熱交換器３２を通過した空気を、下流側車室内熱交換器３１及びバイパス通路６０ｄの両方に流すことで、下流側車室内熱交換器３１によっても加熱する。尚、エアミックスドア６２は１／３開状態にしてもよいし、２／３開状態にしてもよい。
【０１６８】
その後、ステップＳＤ７に進み、ヒートポンプ装置２０の高圧側の冷媒圧力（Ｐ）を読み込む。冷媒圧力（Ｐ）を読み込んだ後、ステップＳＤ８に進み、冷媒圧力（Ｐ）が１．０ＭＰａよりも高いか否かを判定する。ステップＳＤ８でＮＯと判定され、冷媒圧力（Ｐ）が１．０ＭＰａ以下である場合には、ステップＳＤ７に戻り、再度、ヒートポンプ装置２０の高圧側の冷媒圧力（Ｐ）を読み込み、ステップＳＤ８で同様な判定を行う。この間、暖房立ち上げ運転モードが継続される。
【０１６９】
尚、上記判定圧力値である１．０ＭＰａは、外気温度に応じて変化させてもよい。例えば外気温度が低くなるほど、高圧側の冷媒温度の上昇速度が遅くなるので、判定圧力値を小さくする。
【０１７０】
また、上記判定圧力値１．０ＭＰａの変更に伴い、ステップＳＤ５（０．５ＭＰａ）の判定圧力値を変化させてもよい。
【０１７１】
ステップＳＤ８でＹＥＳと判定されて高圧側の冷媒圧力が１．０ＭＰａよりも高くなった場合には、ステップＳＤ９に進み、通常暖房運転モードに切り替える。これにより、下流側車室内熱交換器３１への送風量が増加する。下流側車室内熱交換器３１への送風量が増加すると、高圧側の冷媒圧力が低下してしまうことがある。
【０１７２】
これに対応するために、ステップＳＤ１０では、ヒートポンプ装置２０の高圧側の冷媒圧力（Ｐ）が０．５ＭＰａよりも高いか否かを再度判定する。
【０１７３】
ステップＳＤ１０でＮＯと判定されて高圧側の冷媒圧力（Ｐ）が０．５ＭＰａ以下となるまで低下している場合には、ステップＳＤ６に戻り、エアミックスドア６２を１／２開状態として下流側車室内熱交換器３１への送風量を低下させる。そして、ステップＳＤ７、ＳＤ８を経て高圧側の冷媒圧力が上昇するのを待つ。
【０１７４】
ステップＳＤ１０でＹＥＳと判定されて高圧側の圧力（Ｐ）が０．５ＭＰａよりも高い場合にはエンドに進む。
【０１７５】
したがって、この実施形態３によれば、実施形態１と同様に、ヒートポンプ装置２０の高圧側の冷媒が外気温度近傍となるまで冷えている状況では、エアミックスドア６２によってバイパス通路６０ｄを全開とするので、下流側車室内熱交換器３１への送風量が通常暖房運転モード時に比べて少なくなる。これにより、冷媒の温度低下が抑制されるので、ヒートポンプ装置２０の高圧側の冷媒圧力及び温度の上昇が速くなって暖房の立ち上がりが速くなり、乗員の快適性を向上できる。
【０１７６】
また、上記実施形態１〜３では、車両用空調装置１を電気自動車に搭載する場合について説明したが、これに限らず、例えばエンジンと走行用モーターとを備えたハイブリッド自動車に車両用空調装置１を搭載することも可能である。
【０１７７】
また、エアミックスドア６２の形式は板状のものであってもよいし、フィルム状のものであってもよく、特に限定されない。
【０１７８】
また、上記実施形態では、放熱器となる車室内熱交換器が下流側車室内熱交換器３１と上流側車室内熱交換器３２との２つある場合について説明したが、これに限らず、本発明は、放熱器となる車室内熱交換器が１つの場合（上記特許文献１の空調装置）にも適用することができる。すなわち、暖房運転モード及び冷房運転モードの両モードで放熱器として作用する車室内熱交換器に対する送風量を、ヒートポンプ装置２０の高圧側の冷媒温度が所定の低温度以下であると推定される場合に、所定の低温度よりも高いと推定される場合に比べて少なくなるようにエアミックスドア６２を制御する。
【０１７９】
この場合も、上記実施形態のものと同様な作用効果を奏することができる。
【０１８０】
また、ヒートポンプ装置２０の高圧側の冷媒温度が所定の低温度以下であるか否かを推定するにあたっては、高圧側の冷媒温度を検出する温度センサの出力値から推定するようにしてもよいし、高圧側の冷媒圧力を検出して推定するようにしてもよいし、暖房開始時からの経過時間に基づいて推定するようにしてもよく、推定方法は特に限定されない。
【０１８１】
また、上記実施形態では、ヒートポンプ装置２０の高圧側の冷媒温度が所定の低温度以下であるか否かを推定し、所定の低温度以下であると推定される場合に暖房立ち上げ制御を行うようにしているが、これに限らず、例えば、暖房開始時には、高圧側の冷媒温度に関わらず、暖房立ち上げ制御を行い、その後、通常暖房運転に切り替えるようにしてもよい。通常暖房運転に切り替えるタイミングは、例えば、暖房開始から所定時間経過したタイミングであってもよい。
【産業上の利用可能性】
【０１８２】
以上説明したように、本発明にかかる車両用空調装置は、例えば電気自動車やハイブリッド車に搭載することができる。
【符号の説明】
【０１８３】
１            車両用空調装置
２０          ヒートポンプ装置
２１          車室内空調ユニット
２２          空調制御装置
２２ａ        着霜判定部
３０          電動コンプレッサ（圧縮機）
３１          下流側車室内熱交換器（第１車室内熱交換器）
３２          上流側車室内熱交換器（第２車室内熱交換器）
３３          車室外熱交換器
４０〜４３    第１〜第４主冷媒配管
４４〜４６    第１〜第３分岐冷媒配管
５０          高圧側流路切替装置（流路切替装置）
６１          空気加熱器
６２          エアミックスドア（温度調節ドア）
６５          送風機
７０          外気温度センサ
７２          高圧側冷媒圧力検出センサ
７３          上流側車室内熱交換器温度センサ
７４          下流側車室内熱交換器温度センサ
７７          上流側車室内熱交換器センサ（冷媒圧力センサ、冷媒温度センサ）
【図１】
2014024371.tif 000003
【図２】
2014024371.tif 000004
【図３】
2014024371.tif 000005
【図４】
2014024371.tif 000006
【図５】
2014024371.tif 000007
【図６】
2014024371.tif 000008
【図７】
2014024371.tif 000009
【図８】
2014024371.tif 000010
【図９】
2014024371.tif 000011
【図１０】
2014024371.tif 000012
【図１１】
2014024371.tif 000013
【図１２】
2014024371.tif 000014